【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
二次電池および電源系統に接続された、電源系統の系統安定化装置であって、
前記電源系統の周波数を計測し出力する周波数計測手段と、
前記電源系統の電圧を計測し出力する電圧計測手段と、
前記周波数計測手段の出力値と、前記周波数計測手段の出力値に第１の時間遅れ演算を施して得られる周波数目標値と、の偏差に第１の演算を施して得られる値に基づいて、有効電力の目標値を算出し出力する系統周波数制御回路と、
前記電圧計測手段の出力値と、前記電圧計測手段の出力値に第２の時間遅れ演算を施して得られる電圧目標値と、の偏差に第２の演算を施して得られる値に基づいて、無効電力の目標値を算出し出力する系統電圧制御回路と、
前記系統周波数制御回路の出力値および前記系統電圧制御回路の出力値に基づいて、前記二次電池の充放電を行い、有効電力および無効電力を前記電源系統に出力する電力変換機と、
を備えた系統安定化装置。
【請求項２】
前記二次電池に取り付けられ、該二次電池の状態を検出して出力する電池状態検出器と、
前記電池状態検出器からの出力に基づいて、前記二次電池のＳＯＣを算出し出力するＳＯＣ計測手段と、
前記二次電池のＳＯＣと、あらかじめ定めたＳＯＣ目標値との偏差に基づいて、ＳＯＣ補正信号を出力するＳＯＣ補正制御手段と、をさらに備え、
前記系統周波数制御回路は、
前記ＳＯＣ補正信号に基づいて、算出した前記有効電力の目標値を補正して出力する有効電力目標値補正手段をさらに備える、
請求項１に記載の系統安定化装置。
【請求項３】
前記電池状態検出器は、
前記二次電池の状態として、少なくとも前記二次電池の電圧、充放電電流および温度を検出して出力し、
前記ＳＯＣ計測手段は、
前記二次電池の少なくとも電圧、充放電電流および温度に基づいて、瞬時ＳＯＣを算出する瞬時ＳＯＣ算出手段と、
前記二次電池の充放電電流に基づいて、積算ＳＯＣを算出する積算ＳＯＣ算出手段と、
前記瞬時ＳＯＣと前記積算ＳＯＣの偏差に基づいて、前記積算ＳＯＣを補正して得られる補正ＳＯＣを、前記二次電池のＳＯＣとして出力するＳＯＣ出力手段と、を備える、
請求項２に記載の系統安定化装置。
【請求項４】
前記周波数計測手段は、
前記電源系統の瞬時電圧値を計測する第１の瞬時電圧検出器と、
前記第１の瞬時電圧検出器の計測値に基づいて、第１の位相同期演算により前記電源系統の周波数を算出して出力する第１のＰＬＬ演算部と、を備え、
前記電圧計測手段は、
前記電源系統の瞬時電圧値を計測する第２の瞬時電圧検出器と、
前記第２の瞬時電圧検出器の計測値に基づいて、第２の位相同期演算により前記電源系統の電圧を算出して出力する第２のＰＬＬ演算部と、を備える、
請求項１〜請求項３のいずれか１項に記載の系統安定化装置。
【請求項５】
前記系統周波数制御回路における前記第１の演算は比例制御演算であり、
前記系統電圧制御回路における前記第２の演算は比例制御演算である、
請求項１〜請求項４のいずれか１項に記載の系統安定化装置。
【請求項６】
前記電源系統に自然エネルギーを利用した発電機が接続された、請求項１〜請求項５のいずれか１項に記載の系統安定化装置。
【請求項７】
二次電池と、該二次電池および電源系統に接続された電力変換機と、を連系する電源系統の系統安定化方法であって、
前記電源系統の周波数を計測する周波数測定ステップと、
前記電源系統の電圧を計測する電圧測定ステップと、
計測した前記周波数と、前記周波数に第１の時間遅れ演算を施して得られる周波数目標値と、の偏差に第１の演算を施して得られる値に基づいて、有効電力の目標値を算出する有効電力目標値算出ステップと、
計測した前記電圧と、前記電圧に第２の時間遅れ演算を施して得られる電圧目標値と、の偏差に第２の演算を施して得られる値に基づいて、無効電力の目標値を算出する無効電力目標値算出ステップと、
算出した前記有効電力の目標値と、前記無効電力の目標値に基づいて、前記電力変換機に、前記二次電池の充放電を行わせ、有効電力および無効電力を前記電源系統に出力させる電力出力ステップと、
を有する、系統安定化方法。
【請求項８】
前記周波数計測ステップは、
前記電源系統の瞬時電圧値を計測する第１の瞬時電圧値検出ステップと、
計測した瞬時電圧値に基づいて、第１の位相同期演算により前記電源系統の周波数を算出する周波数演算ステップと、を有し、
前記電圧計測ステップは、
前記電源系統の瞬時電圧値を計測する第２の瞬時電圧値検出ステップと、
計測した瞬時電圧検出値に基づいて、第２の位相同期演算により前記電源系統の電圧を算出する電圧演算ステップと、
を有する、
請求項７に記載の系統安定化方法。
【手続補正２】
【補正対象書類名】明細書
【補正対象項目名】００１６
【補正方法】変更
【補正の内容】
【００１６】
上記の目的を達成するために本発明に係る系統安定化装置は、二次電池および電源系統に接続された電源系統の系統安定化装置であって、前記電源系統の周波数を計測し出力する周波数計測手段と、前記電源系統の電圧を計測し出力する電圧計測手段と、前記周波数計測手段の出力値と、前記周波数計測手段の出力値に第１の時間遅れ演算を施して得られる周波数目標値と、の偏差に第１の演算を施して得られる値に基づいて、有効電力の目標値を算出し出力する系統周波数制御回路と、前記電圧計測手段の出力値と、前記電圧計測手段の出力値に第２の時間遅れ演算を施して得られる電圧目標値と、の偏差に第２の演算を施して得られる値に基づいて、無効電力の目標値を算出し出力する系統電圧制御回路と、前記系統周波数制御回路の出力値および前記系統電圧制御回路の出力値に基づいて、前記二次電池の充放電を行い、有効電力および無効電力を前記電源系統に出力する電力変換機と、を備える。
【手続補正３】
【補正対象書類名】明細書
【補正対象項目名】００２０
【補正方法】変更
【補正の内容】
【００２０】
好ましくは、この系統安定化装置は、前記二次電池に取り付けられ、該二次電池の状態を検出して出力する電池状態検出器と、前記電池状態検出器からの出力に基づいて、前記二次電池のＳＯＣを算出し出力するＳＯＣ計測手段と、前記二次電池のＳＯＣと、あらかじめ定めたＳＯＣ目標値との偏差に基づいて、ＳＯＣ補正信号を出力するＳＯＣ補正制御手段と、をさらに備え、前記系統周波数制御回路は、前記ＳＯＣ補正信号に基づいて、算出した前記有効電力の目標値を補正して出力する有効電力目標値補正手段をさらに備える。また、好ましくは、この系統安定化装置は、前記電池状態検出器が、前記二次電池の状態として、少なくとも前記二次電池の電圧、充放電電流および温度を検出して出力し、前記ＳＯＣ計測手段は、前記二次電池の少なくとも電圧、充放電電流および温度に基づいて、瞬時ＳＯＣを算出する瞬時ＳＯＣ算出手段と、前記二次電池の充放電電流に基づいて、積算ＳＯＣを算出する積算ＳＯＣ算出手段と、前記瞬時ＳＯＣと前記積算ＳＯＣの偏差に基づいて、前記積算ＳＯＣを補正して得られる補正ＳＯＣを、前記二次電池のＳＯＣとして出力するＳＯＣ出力手段と、を備える。
【手続補正４】
【補正対象書類名】明細書
【補正対象項目名】００２３
【補正方法】変更
【補正の内容】
【００２３】
好ましくは、この系統安定化装置は、前記周波数計測手段が、前記電源系統の瞬時電圧値を計測する第１の瞬時電圧検出器と、前記第１の瞬時電圧検出器の計測値に基づいて、第１の位相同期演算により前記電源系統の周波数を算出して出力する第１のＰＬＬ演算部と、を備え、前記電圧計測手段は、前記電源系統の瞬時電圧値を計測する第２の瞬時電圧検出器と、前記第２の瞬時電圧検出器の計測値に基づいて、第２の位相同期演算により前記電源系統の電圧を算出して出力する第２のＰＬＬ演算部と、を備えてもよい。
【手続補正５】
【補正対象書類名】明細書
【補正対象項目名】００２５
【補正方法】変更
【補正の内容】
【００２５】
好ましくは、この系統安定化装置は、前記系統周波数制御回路における前記第１の演算は比例制御演算であり、前記系統電圧制御回路における前記第２の演算は比例制御演算である。
【手続補正６】
【補正対象書類名】明細書
【補正対象項目名】００２７
【補正方法】変更
【補正の内容】
【００２７】
また、この系統安定化装置は、前記電源系統に自然エネルギーを利用した発電機が接続されてもよい。
【手続補正７】
【補正対象書類名】明細書
【補正対象項目名】００２９
【補正方法】変更
【補正の内容】
【００２９】
本発明に係る系統安定方法は、二次電池と、該二次電池および電源系統に接続された電力変換機と、を連系する電源系統の系統安定化方法であって、前記電源系統の周波数を計測する周波数測定ステップと、前記電源系統の電圧を計測する電圧測定ステップと、計測した前記周波数と、前記周波数に第１の時間遅れ演算を施して得られる周波数目標値と、の偏差に第１の演算を施して得られる値に基づいて、有効電力の目標値を算出する有効電力目標値算出ステップと、計測した前記電圧と、前記電圧に第２の時間遅れ演算を施して得られる電圧目標値と、の偏差に第２の演算を施して得られる値に基づいて、無効電力の目標値を算出する無効電力目標値算出ステップと、算出した前記有効電力の目標値と、前記無効電力の目標値に基づいて、前記電力変換機に、前記二次電池の充放電を行わせ、有効電力および無効電力を前記電源系統に出力させる電力出力ステップと、を有する。
【手続補正８】
【補正対象書類名】明細書
【補正対象項目名】００３０
【補正方法】変更
【補正の内容】
【００３０】
また、この系統安定化方法は、前記周波数計測ステップが、前記電源系統の瞬時電圧値を計測する第１の瞬時電圧値検出ステップと、計測した瞬時電圧値に基づいて、第１の位相同期演算により前記電源系統の周波数を算出する周波数演算ステップと、を有し、
前記電圧計測ステップが、前記電源系統の瞬時電圧値を計測する第２の瞬時電圧値検出ステップと、計測した瞬時電圧検出値に基づいて、第２の位相同期演算により前記電源系統の電圧を算出する電圧演算ステップと、を有する。
【手続補正９】
【補正対象書類名】図面
【補正対象項目名】図２
【補正方法】変更
【補正の内容】
【図２】
2012143018.tif 000001